(57)【要約】【課題】  MRI装置では通常オペレーターが常に操作室にいるため緊急呼出にすぐに対応できるが、長時間の撮像中には一時的にオペレーターが操作室に不在になる恐れがあり、オペレータ不在時に緊急呼出があると対応ができない。そこで、緊急呼出の際にオペレーター不在を自動的に判断し、オペレーター不在時に異常が発生した被検者に対応できるようにする緊急呼出装置を提供することを課題とする。【解決手段】  緊急呼出スイッチが押されてから、一定時間確認スイッチが押されなかった場合、操作室にオペレーターが不在と判断し、MRI装置の撮像を自動的に停止させ、緊急呼出の範囲を操作室内から操作室外に拡大することで、オペレーター以外にも緊急呼出を発信し、被検者に対応できるようにする。【選択図】      図1
2010094292.tif 000002
【特許請求の範囲】
【請求項１】
被検者が異常を感じたときに操作室のオペレーターを呼び出す緊急呼出装置を備えた医用画像診断装置において、前記緊急呼出装置は、オペレーターを呼び出すための緊急呼出スイッチと、緊急呼出スイッチが押されてからの時間をカウントするタイマと、タイマでカウントされた時間が一定時間経過したことを判断する手段と、経過時間によって変化する音と光を緊急呼出信号として発生させる手段と、緊急呼出信号を出力する手段と、緊急呼出信号を停止させる手段を有することを特徴とする医用画像診断装置。
【発明の詳細な説明】
【技術分野】
【０００１】
本発明は、MRI装置を含む医用画像診断装置に関し、特に医用画像診断装置で検査中に被検者が気分が悪くなった等の異常を感じたときにオペレーターを呼び出す緊急呼出装置に関する。
【背景技術】
【０００２】
医用画像診断装置の内例えばMRI装置は、被検者、特に人体の組織を構成する原子核スピンが発生するNMR信号を計測し、その頭部、腹部、四肢等の形態や機能を2次元的に或いは3次元的に画像化する装置である。撮影においては、NMR信号には、傾斜磁場によって異なる位相エンコードが付与されるとともに周波数エンコードされて、時系列データとして計測される。計測されたNMR信号は、2次元又は3次元フーリエ変換されることにより画像に再構成される。
【０００３】
MRI装置で撮像中に被検者が気分が悪くなった等異常を感じた場合、被検者は手元のスイッチを押してオペレーターを呼び出す。特許文献1では、スイッチを押している長さによって緊急度を判断し、緊急度にしたがって呼出音や警報光の点灯パターンを変化させて呼び出しを行っている。
【０００４】
【特許文献１】特開2007-67598号公報
【発明の開示】
【発明が解決しようとする課題】
【０００５】
しかし、特許文献1の手法をMRI装置に適用するには、被検者が一人だけであり、オペレーターが操作室にいるため通常は緊急呼出にすぐに対応できること、一時的にオペレーターが操作室に不在になったとき緊急呼出が起きた場合のこと、被検者がスイッチを押し続けられない状態になる場合のことが考慮する必要がある。
【０００６】
そこで、本発明の目的は、操作室にオペレーターの不在を自動的に判断し、スイッチを1度押すことで、スイッチを離してしまってもオペレーター不在時に異常が発生した被検者に対応できるようにすることである。
【課題を解決するための手段】
【０００７】
本発明によれば、被検者が異常を感じたときに操作室のオペレーターを呼び出す緊急呼出装置を備えた医用画像診断装置において、前記緊急呼出装置は、オペレーターを呼び出すための緊急呼出スイッチと、緊急呼出スイッチが押されてからの時間をカウントするタイマと、タイマでカウントされた時間が一定時間経過したことを判断する手段と、経過時間によって変化する音と光を緊急呼出信号として発生させる手段と、緊急呼出信号を出力する手段と、緊急呼出信号を停止させる手段を有することを特徴とする医用画像診断装置が提供される。
【発明の効果】
【０００８】
本発明によれば、操作室にオペレーターが不在であることを自動的に判断し、不在と判断した場合、安全のためMRI装置を自動的に停止させ、操作室の内部から外部へと緊急呼出の範囲を拡大してオペレーター以外の人も被検者に対応できるようになる。
【発明を実施するための最良の形態】
【０００９】
｛第一の実施形態｝
本発明の第1の実施形態を図1を用いて説明する。
緊急呼出装置は、検査中被検者にあらかじめ持たせる体調悪化等の異常発生をオペレーターに知らせるための緊急呼出スイッチ2と、緊急呼出スイッチ2が押されてからの時間を測定するタイマ3と、中央処理装置(CPU)4と、緊急呼出音を発生させる呼出音発生器5と、緊急呼出を光によって知らせる警報灯6、被検者の異常発生を認識し、対応したときに緊急呼出音を止め警報灯を消灯させる確認スイッチ7と、緊急呼出音を出力するスピーカー8からなる。
【００１０】
次に第1の実施形態の動作を図2を用いて説明する。
被検者が気分が悪くなった等の異常を感じて検査前に持たされた緊急呼出スイッチ2を押す。CPU4が緊急呼出スイッチ2が押されたことを検知し(A)、タイマ3に緊急呼出スイッチ2が押されてからの経過時間をカウントさせる(B)。次に、音によって緊急呼出が発生していることを知らせるため、呼出音発生器5に操作室全体に聞こえるような音量の緊急呼出音aを発生させ、スピーカー8から緊急呼出音aを出力させる(C)。次に、光によって緊急呼出が発生していることを知らせるため、警報灯6を光らせる(D)。オペレーターが操作室に待機しており、緊急呼出スイッチ2が押された後すぐに対応し確認スイッチ7が押された場合、警報灯6を消灯し(J)、緊急呼出音aを停止し(K)、タイマ3のカウントをリセットする(L)。また、緊急呼出スイッチ2が押されてからタイマ3のカウントが一定値を超えたとき(例えば10秒経過したとき)(F)、操作室にオペレーターが不在であると判断し、操作室の外にいる人に緊急呼出の発生を知らせるため、呼出音発生器5に操作室の外まで聞こえるような音量と緊急度が高まっていることがわかるように周波数を変化させた緊急呼出音ｂを発生させる(例えば、小さなブザー音から大きなベル音に変化させる)(G)。また、被検者が異常を感じている状態でMRI装置1での検査を続けることは状況を悪化させる恐れがあるので、MRI装置1の撮像を停止する(H)。緊急呼出に応えて被検者に対応した人が確認スイッチ7を押すことで警報灯6が消灯し(J)、緊急呼出音ｂが停止し(K)、タイマ3のカウントがリセットされる(L)。
【００１１】
上記実施例1によれば、被検者が体調悪化等の異常をオペレータに知らせてから所定時間たっても応答しない場合には、緊急呼び出し音の音量を大きくするので、操作者が遠くにいても、被検者の体調悪化に気づくことができる。
｛第2の実施形態｝
次に、第2の実施形態について図3を用いて説明する。第1の実施形態と異なる点は、緊急呼出が発生してから一定時間経過したとき、緊急呼出の発生を他の場所に通知する無線送信機11と緊急呼出の発生を受け取る無線受信機12である。以下、異なる箇所のみ説明し、同じ箇所の説明は省略する。
【００１２】
次に、第2の実施形態についての動作を図4を用いて説明する。  
緊急呼出が発生してから一定時間経過したら、オペレーター以外の人にも被検者の対応をしてもらうため、無線送信機11から緊急呼出が発信される(I)。発信された緊急呼出を看護師などが持つ携帯端末やナースステーションなどにある無線受信機12で受信する。確認スイッチが押されると、無線送信機11から緊急呼出の終了が無線受信機12に送られる(L)。
【００１３】
上記実施例によれば、無線送信機により操作者に被検者の体調悪化等を知らせるので、更に操作者が遠くにいても、被検者の体調悪化に気づくことができる。この場合、操作者は無線で被検者の体調悪化等を知ることができるので、緊急呼び出し音を大きくしなくても良い。本発明は、MRI装置のみでなく、医用画像診断装置にも適用できる。
【図面の簡単な説明】
【００１４】
【図１】本発明の第1の実施形態におけるブロック図
【図２】本発明の第1の実施形態におけるフローチャート
【図３】本発明の第2、3の実施形態におけるブロック図
【図４】本発明の第2の実施形態におけるフローチャート
【図５】本発明の第3の実施形態におけるフローチャート
【符号の説明】
【００１５】
1  MRI装置、2  緊急呼出スイッチ、3  タイマ、4  中央処理装置(CPU)、5  呼出音発生器、6  警報灯、7  確認スイッチ、8  スピーカー、9  撮像室、10  操作室、11  無線送信機、12  無線受信機
【図１】
2010094292.tif 000003
【図２】
2010094292.tif 000004
【図３】
2010094292.tif 000005
【図４】
2010094292.tif 000006
【図５】
2010094292.tif 000007